(57)【要約】【課題】信号コンタクトのインピーダンスを整合させるための新たな構造を備えたコネクタを提供すること。【解決手段】コネクタは、信号コンタクトとグランドコンタクトとを含む複数のコンタクトと、第１グランドプレートとを備えている。コンタクトは、ピッチ方向に配置されてコンタクト列を形成している。第１グランドプレートは、一枚の金属板から形成されている。第１グランドプレートは、主部と、主部と交差する方向に延びるように曲げ形成された曲げ部とを有している。主部は、ピッチ方向と直交する上下方向においてコンタクト列から離れており、且つ、ピッチ方向においてコンタクト列全体に亘って延びている。曲げ部は、ピッチ方向において信号コンタクトから離れており且つ信号コンタクトと隣り合っている。【選択図】図６
2015018714.tif 000002
【特許請求の範囲】
【請求項１】
信号コンタクトとグランドコンタクトとを含む複数のコンタクトと、第１グランドプレートとを備えたコネクタであって、
前記コンタクトは、ピッチ方向に配置されてコンタクト列を形成しており、
前記第１グランドプレートは、一枚の金属板から形成されており、主部と、前記主部と交差する方向に延びるように曲げ形成された曲げ部とを有しており、
前記主部は、前記ピッチ方向と直交する上下方向において前記コンタクト列から離れており、且つ、前記ピッチ方向において前記コンタクト列全体に亘って延びており、
前記曲げ部は、前記ピッチ方向において前記信号コンタクトから離れており且つ前記信号コンタクトと隣り合っている
コネクタ。
【請求項２】
請求項１記載のコネクタであって、
前記曲げ部は、前記主部の前記ピッチ方向における端部に位置している
コネクタ。
【請求項３】
請求項１又は請求項２記載のコネクタであって、
前記複数のコンタクトは、複数の前記信号コンタクトと複数の前記グランドコンタクトとを含んでおり、
前記信号コンタクトと前記グランドコンタクトとは、前記コンタクト列に交互に配置されている
コネクタ。
【請求項４】
請求項１乃至請求項３のいずれかに記載のコネクタであって、
前記コンタクト列の前記ピッチ方向における最も外側に位置する外側コンタクトは、前記信号コンタクトであり、
前記曲げ部は、前記外側コンタクトの前記ピッチ方向における外側に位置している
コネクタ。
【請求項５】
請求項４記載のコネクタであって、
前記コンタクトは、前記ピッチ方向において隣り合う２つの前記コンタクトの間のコンタクト距離が同じになるように配置されており、
前記ピッチ方向における前記曲げ部と前記外側コンタクトとの間の距離は、前記コンタクト距離と同じである
コネクタ。
【請求項６】
請求項１乃至請求項５のいずれかに記載のコネクタであって、
前記第１グランドプレートは、少なくとも１つの前記グランドコンタクトと接続されている
コネクタ。
【請求項７】
請求項１乃至請求項６のいずれかに記載のコネクタであって、
前記コネクタは、相手側コネクタと嵌合可能であり、
前記コネクタは、前記相手側コネクタと嵌合する嵌合部を備えており、
前記第１グランドプレートは、部分的に前記嵌合部内に位置している
コネクタ。
【請求項８】
請求項１乃至請求項５のいずれかに記載のコネクタであって、
第２グランドプレートと、２つの前記コンタクト列とを備えており、
前記第１グランドプレートは、前記上下方向において前記第２グランドプレートと離れており、
２つの前記コンタクト列は、前記上下方向において互いに離れている第１コンタクト列と第２コンタクト列とから構成されている
コネクタ。
【請求項９】
請求項８記載のコネクタであって、
前記第１グランドプレートは、前記第１コンタクト列の少なくとも１つの前記グランドコンタクトと接続されており、
前記第２グランドプレートは、前記第２コンタクト列の少なくとも１つの前記グランドコンタクトと接続されており、
前記ピッチ方向において、前記第１グランドプレートと前記グランドコンタクトとの接続位置は、前記第２グランドプレートと前記グランドコンタクトとの接続位置と異なっている
コネクタ。
【請求項１０】
請求項８又は請求項９記載のコネクタであって、
前記第１グランドプレートは、前記第２グランドプレートと同一形状を有している
コネクタ。
【請求項１１】
請求項８乃至請求項１０のいずれかに記載のコネクタであって、
ダミーコンタクトを更に備えており、
前記ダミーコンタクトは、前記ピッチ方向において前記第２コンタクト列の外側に配置されており、且つ、前記ピッチ方向において前記第２コンタクト列の前記信号コンタクトと隣り合っている
コネクタ。
【請求項１２】
請求項８乃至請求項１１のいずれかに記載のコネクタであって、
前記コネクタは、相手側コネクタと嵌合可能であり、
前記コネクタは、前記相手側コネクタと嵌合する嵌合部を備えており、
前記第１グランドプレート及び前記第２グランドプレートのうちの少なくとも一方は、部分的に前記嵌合部内に位置している
コネクタ。
【発明の詳細な説明】
【技術分野】
【０００１】
本発明は、信号コンタクトのインピーダンスを整合させるように構成されたコネクタに関する。
【背景技術】
【０００２】
このタイプのコネクタは、例えば特許文献１及び特許文献２に開示されている。
【０００３】
図１１に示されるように、特許文献１のコネクタは、高速信号伝送のための信号コンタクト対と、グランドコンタクトと、グランドプレートとを備えている。グランドプレートは、グランドコンタクトと接続されている。信号コンタクト対は、対応するグランドプレートの上方に配置されている。また、信号コンタクト対の一方の信号コンタクトは、グランドコンタクトの近傍に配置されている。特許文献１によれば、上述の配置により、信号コンタクトのインピーダンスを整合させることができる。
【０００４】
図１２に示されるように、特許文献２のコネクタは、高速信号伝送のための信号コンタクト対と、グランドコンタクトと、ダミーコンタクトとを備えている。ダミーコンタクトは、相手側コネクタ（図示せず）の相手側コンタクト（図示せず）と接触しないように構成されたグランドコンタクトである。信号コンタクトの夫々は、グランドコンタクト又はダミーコンタクトの隣に位置している。特許文献２によれば、上述の配置により、信号コンタクトのインピーダンスを整合させることができる。
【先行技術文献】
【特許文献】
【０００５】
【特許文献１】特許第３５６４５５６号公報
【特許文献２】特開２００７−８０７８２号公報
【発明の概要】
【発明が解決しようとする課題】
【０００６】
特許文献１の信号コンタクト対の他方の信号コンタクトは、グランドコンタクトから離れている。このため、信号コンタクトのインピーダンスを整合させることが難しい場合がある。特許文献２に開示されたようにダミーコンタクトを配置するためには、ダミーコンタクトを配置するためのスペースが必要である。しかしながら、このようなスペースを設けることができない場合がある。
【０００７】
そこで、本発明は、信号コンタクトのインピーダンスを整合させるための新たな構造を備えたコネクタを提供することを目的とする。
【課題を解決するための手段】
【０００８】
本発明は、第１のコネクタとして、
信号コンタクトとグランドコンタクトとを含む複数のコンタクトと、第１グランドプレートとを備えたコネクタであって、
前記コンタクトは、ピッチ方向に配置されてコンタクト列を形成しており、
前記第１グランドプレートは、一枚の金属板から形成されており、主部と、前記主部と交差する方向に延びるように曲げ形成された曲げ部とを有しており、
前記主部は、前記ピッチ方向と直交する上下方向において前記コンタクト列から離れており、且つ、前記ピッチ方向において前記コンタクト列全体に亘って延びており、
前記曲げ部は、前記ピッチ方向において前記信号コンタクトから離れており且つ前記信号コンタクトと隣り合っている
コネクタを提供する。
【０００９】
また、本発明は、第２のコネクタとして、第１のコネクタであって、
前記曲げ部は、前記主部の前記ピッチ方向における端部に位置している
コネクタを提供する。
【００１０】
また、本発明は、第３のコネクタとして、第１又は第２のコネクタであって、
前記複数のコンタクトは、複数の前記信号コンタクトと複数の前記グランドコンタクトとを含んでおり、
前記信号コンタクトと前記グランドコンタクトとは、前記コンタクト列に交互に配置されている
コネクタを提供する。
【００１１】
また、本発明は、第４のコネクタとして、第１乃至第３のコネクタのいずれかであって、
前記コンタクト列の前記ピッチ方向における最も外側に位置する外側コンタクトは、前記信号コンタクトであり、
前記曲げ部は、前記外側コンタクトの前記ピッチ方向における外側に位置している
コネクタを提供する。
【００１２】
また、本発明は、第５のコネクタとして、第４のコネクタであって、
前記コンタクトは、前記ピッチ方向において隣り合う２つの前記コンタクトの間のコンタクト距離が同じになるように配置されており、
前記ピッチ方向における前記曲げ部と前記外側コンタクトとの間の距離は、前記コンタクト距離と同じである
コネクタを提供する。
【００１３】
また、本発明は、第６のコネクタとして、第１乃至第５のコネクタのいずれかであって、
前記第１グランドプレートは、少なくとも１つの前記グランドコンタクトと接続されている
コネクタを提供する。
【００１４】
また、本発明は、第７のコネクタとして、第１乃至第６のコネクタのいずれかであって、
前記コネクタは、相手側コネクタと嵌合可能であり、
前記コネクタは、前記相手側コネクタと嵌合する嵌合部を備えており、
前記第１グランドプレートは、部分的に前記嵌合部内に位置している
コネクタを提供する。
【００１５】
また、本発明は、第８のコネクタとして、第１乃至第５のコネクタのいずれかであって、
第２グランドプレートと、２つの前記コンタクト列とを備えており、
前記第１グランドプレートは、前記上下方向において前記第２グランドプレートと離れており、
２つの前記コンタクト列は、前記上下方向において互いに離れている第１コンタクト列と第２コンタクト列とから構成されている
コネクタを提供する。
【００１６】
また、本発明は、第９のコネクタとして、第８のコネクタであって、
前記第１グランドプレートは、前記第１コンタクト列の少なくとも１つの前記グランドコンタクトと接続されており、
前記第２グランドプレートは、前記第２コンタクト列の少なくとも１つの前記グランドコンタクトと接続されており、
前記ピッチ方向において、前記第１グランドプレートと前記グランドコンタクトとの接続位置は、前記第２グランドプレートと前記グランドコンタクトとの接続位置と異なっている
コネクタを提供する。
【００１７】
また、本発明は、第１０のコネクタとして、第８又は第９のコネクタであって、
前記第１グランドプレートは、前記第２グランドプレートと同一形状を有している
コネクタを提供する。
【００１８】
また、本発明は、第１１のコネクタとして、第８乃至第１０のコネクタのいずれかであって、
ダミーコンタクトを更に備えており、
前記ダミーコンタクトは、前記ピッチ方向において前記第２コンタクト列の外側に配置されており、且つ、前記ピッチ方向において前記第２コンタクト列の前記信号コンタクトと隣り合っている
コネクタを提供する。
【００１９】
また、本発明は、第１２のコネクタとして、第８乃至第１１のコネクタのいずれかであって、
前記コネクタは、相手側コネクタと嵌合可能であり、
前記コネクタは、前記相手側コネクタと嵌合する嵌合部を備えており、
前記第１グランドプレート及び前記第２グランドプレートのうちの少なくとも一方は、部分的に前記嵌合部内に位置している
コネクタを提供する。
【発明の効果】
【００２０】
本発明によれば、一枚の金属板を曲げて形成した曲げ部を信号コンタクトの隣に配置してグランドコンタクトとして機能させることができる。これにより、ダミーコンタクトを配置する空間を設けることが困難な場合であっても、信号コンタクトのインピーダンスを、より確実に整合させることができる。
【図面の簡単な説明】
【００２１】
【図１】本発明の実施の形態によるコネクタと相手側コネクタとを示す斜視図である。ここで、コネクタは同軸ケーブルと接続されている。
【図２】図１のコネクタを、カバーを外した状態で示す斜視図である。
【図３】図２のコネクタを、同軸ケーブルと接続されていない状態で示す斜視図である。
【図４】図３のコネクタを示す正面図である。
【図５】図４のコネクタの一部（１点鎖線Ａで囲んだ部分）を拡大して示す正面図である。ここで、グランドコンタクトと接触しているグランドプレートの隠れた接点部を破線で描画している。
【図６】図５のコンタクト及びグランドプレートの配置を模式的に示す正面図である。
【図７】図６のコンタクト及びグランドプレートの配置の変形例を模式的に示す正面図である。
【図８】図２のコネクタのグランドプレート（第１グランドプレート及び第２グランドプレート）を示す斜視図である。
【図９】図８の第１グランドプレートの変形例を示す斜視図である。
【図１０】図８の第２グランドプレートの変形例を示す斜視図である。
【図１１】特許文献１のコネクタの信号コンタクトの配置を示す断面図である。
【図１２】特許文献２のコネクタの信号コンタクトの配置を示す上面図である。
【発明を実施するための形態】
【００２２】
図１に示されるように、本実施の形態によるコネクタ１０は、相手側コネクタ８０と嵌合方向（−Ｘ方向）に沿って嵌合可能であり且つ電気的に接続可能である。本実施の形態によれば、コネクタ１０は複数の同軸ケーブル７１０及び複数の同軸ケーブル７２０に接続されるケーブルコネクタであり、相手側コネクタ８０は回路基板（図示せず）に搭載される基板コネクタである。また、本実施の形態によるコネクタ１０はプラグであり、相手側コネクタ８０はレセプタクルである。但し、本発明は、ケーブルコネクタ以外のコネクタにも、レセプタクルにも適用可能である。
【００２３】
コネクタ１０は、−Ｘ方向に突出した嵌合部１２を備えており、相手側コネクタ８０は、＋Ｘ方向に開口した受容部８２を備えている。コネクタ１０と相手側コネクタ８０とが互いに嵌合した嵌合状態において、嵌合部１２は受容部８２に挿入される。即ち、嵌合部１２は相手側コネクタ８０と嵌合する部位である。
【００２４】
相手側コネクタ８０は、絶縁性材料からなる相手側ハウジング８１０と、導電性材料からなる複数の相手側コンタクト８２０と、導電性材料からなる複数の相手側コンタクト８３０とを備えている。相手側コンタクト８２０及び相手側コンタクト８３０は、相手側ハウジング８１０に保持されている。
【００２５】
相手側コンタクト８２０は、嵌合方向（−Ｘ方向）及び上下方向（Ｚ方向）の双方と直交するピッチ方向（Ｙ方向）に配置されている。詳しくは、相手側コンタクト８２０は、嵌合方向（−Ｘ方向）と直交する上下方向（Ｚ方向）において、上側（＋Ｚ側）列と下側（−Ｚ側）列の２列に整列されている。上側列に配置された相手側コンタクト８２０の夫々の一部は、下方に（−Ｚ方向に）突出して受容部８２内に位置している。同様に、下側列に配置された相手側コンタクト８２０の夫々の一部は、上方に（＋Ｚ方向に）突出して受容部８２内に位置している。
【００２６】
上側列の相手側コンタクト８２０は、５つの（複数の）信号コンタクト８２２と、５つの（複数の）グランドコンタクト８２４とを含んでいる。信号コンタクト８２２とグランドコンタクト８２４とは、交互に配置されている。同様に、下側列の相手側コンタクト８２０は、交互に配置された５つの信号コンタクト８２２と５つのグランドコンタクト８２４とを含んでいる。相手側コネクタ８０が回路基板（図示せず）に搭載された搭載状態において、信号コンタクト８２２は、回路基板の信号パターン（図示せず）に接続され、グランドコンタクト８２４は、回路基板のグランドパターン（図示せず）に接続される。
【００２７】
相手側コンタクト８３０は、Ｙ方向に夫々延びる上側列と下側列の２列に整列されている。上側列に配置された相手側コンタクト８３０の夫々の一部は、下方に突出して受容部８２内に位置しており、下側列に配置された相手側コンタクト８３０の夫々の一部は、上方に突出して受容部８２内に位置している。
【００２８】
上側列の相手側コンタクト８３０は、一般的な７つの（複数の）信号コンタクト８３２と、７つの（複数の）グランドコンタクト８３４とを含んでいる。信号コンタクト８３２とグランドコンタクト８３４とは、交互に配置されている。同様に、下側列の相手側コンタクト８３０は、交互に配置された７つの信号コンタクト８３２と７つのグランドコンタクト８３４とを含んでいる。搭載状態において、信号コンタクト８３２は、回路基板（図示せず）の信号パターン（図示せず）に接続され、グランドコンタクト８３４は、回路基板のグランドパターン（図示せず）に接続される。
【００２９】
図１及び図２に示されるように、コネクタ１０は、絶縁性材料からなるカバー２００と、絶縁性材料からなる保持部材３００と、導電性材料からなる複数のコンタクト（第１コンタクト）４００と、導電性材料からなる１つのダミーコンタクト４９０と、導電性材料からなる複数の第２コンタクト５００と、金属製の第１グランドプレート（グランドプレート）６１０と、金属製の第２グランドプレート（グランドプレート）６２０とを備えている。カバー２００は、保持部材３００のＸ方向と直交する四方を覆うようにして保持部材３００に取り付けられている。
【００３０】
図１及び図２に示されるように、コンタクト４００、ダミーコンタクト４９０及び第２コンタクト５００の夫々は、Ｘ方向に延びるように保持部材３００に保持されている。コンタクト４００の夫々は、接触部４０２と、接続部４０４とを有している。同様に、第２コンタクト５００の夫々は、接触部５０２と、接続部５０４とを有している。嵌合状態において、接触部４０２は相手側コンタクト８２０と接触し、接触部５０２は相手側コンタクト８３０と接触する。また、接続部４０４は同軸ケーブル７１０に接続され、接続部５０４は同軸ケーブル７２０に接続される。一方、本実施の形態によるダミーコンタクト４９０は、接触部４９２と、同軸ケーブル７１０に接続される接続部４９４とを有しているが、接触部４９２は、嵌合状態において相手側コンタクト８２０及び相手側コンタクト８３０のいずれとも接触しない。但し、相手側コネクタ８０に、嵌合状態においてダミーコンタクト４９０と接続される相手側ダミーコンタクト（図示せず）を設けてもよい。
【００３１】
図２及び図３に示されるように、保持部材３００は、保持部３１０と、仕切り壁３２０と、載置部３３０とを有している。保持部３１０は、保持部材３００の前側（−Ｘ側）に位置しており、載置部３３０は、保持部材３００の後側（＋Ｘ側）に位置している。仕切り壁３２０は、Ｘ方向において保持部３１０と載置部３３０との間に位置している。
【００３２】
保持部３１０は、概ねＸＹ平面と平行な矩形板形状を有している。保持部３１０は、コネクタ１０の嵌合部１２の大部分を構成している。詳しくは、保持部３１０の上面（＋Ｚ側の面）には、複数の凹部３１２と複数の凹部３１３とが形成されている。同様に、保持部３１０の下面（−Ｚ側の面）にも、複数の凹部３１２と複数の凹部３１３とが形成されている。保持部３１０の上面に形成された凹部３１２及び凹部３１３の夫々は下方に凹んでおり、保持部３１０の下面に形成された凹部３１２及び凹部３１３の夫々は上方に凹んでいる。凹部３１２は、保持部３１０の＋Ｙ側の部位に形成されており、凹部３１３は、保持部３１０の−Ｙ側の部位に形成されている。凹部３１２には、コンタクト４００の接触部４０２又はダミーコンタクト４９０の接触部４９２が配置されている。凹部３１３には、第２コンタクト５００の接触部５０２が配置されている。
【００３３】
保持部３１０には、第１保持溝（保持溝）３１４と、第２保持溝（保持溝）３１５とが更に形成されている。第１保持溝３１４及び第２保持溝３１５は、保持部３１０の＋Ｙ側の部位に形成されている。第１保持溝３１４は、第２保持溝３１５の下方に位置している。第１保持溝３１４及び第２保持溝３１５の夫々は、前方に（−Ｘ方向に）開口しており、後方に向かって（＋Ｘ方向に沿って）仕切り壁３２０まで延びている。
【００３４】
図５に示されるように、第１保持溝３１４は、＋Ｘ方向に沿って見たとき、概ねＹ方向と平行に延びている。但し、第１保持溝３１４の＋Ｙ側の端部は、曲がって下方に延びている。同様に、第２保持溝３１５は、＋Ｘ方向に沿って見たとき、概ねＹ方向と平行に延びている。第２保持溝３１５の−Ｙ側の端部は、曲がって下方に延びている。保持部３１０には、４つの溝３１６が更に形成されている。溝３１６のうちの２つは、第１保持溝３１４の上面を部分的に上方に凹ませるようにして形成されており、溝３１６のうちの他の２つは、第２保持溝３１５の下面を部分的に下方に凹ませるようにして形成されている。溝３１６の夫々は、前方に開口しており、後方に向かって仕切り壁３２０まで延びている。
【００３５】
図２及び図３に示されるように、載置部３３０は、概ねＸＹ平面と平行な矩形板形状を有している。載置部３３０の上面は、Ｚ方向において保持部３１０の上面のやや下方に位置しており、載置部３３０の下面は、Ｚ方向において保持部３１０の下面のやや上方に位置している。載置部３３０の上面及び下面の夫々の＋Ｙ側の部位には、仕切り壁３２０の内部を通過したコンタクト４００の接続部４０４と、ダミーコンタクト４９０の接続部４９４とが配置されている。同様に、載置部３３０の上面及び下面の夫々の−Ｙ側の部位には、仕切り壁３２０の内部を通過した第２コンタクト５００の接続部５０４が配置されている。
【００３６】
図２に示されるように、コネクタ１０の使用状態において、載置部３３０の上面及び下面には同軸ケーブル７１０及び同軸ケーブル７２０が配置される。
【００３７】
詳しくは、同軸ケーブル７１０の夫々は、内部導体（信号線）７１２と、内部導体７１２を覆う絶縁体７１４と、絶縁体７１４を覆う外部導体（グランド線）７１６と、外部導体７１６を覆う被覆７１８とを有している。同軸ケーブル７１０の内部導体７１２及び外部導体７１６は、コンタクト４００の接続部４０４（図３参照）に夫々接続される。更に、載置部３３０の上面の＋Ｙ方向の端部に位置する同軸ケーブル７１０の外部導体７１６は、ダミーコンタクト４９０の接続部４９４にも接続される。
【００３８】
同様に、同軸ケーブル７２０の夫々は、内部導体（信号線）７２２と、内部導体７２２を覆う絶縁体７２４と、絶縁体７２４を覆う外部導体（グランド線）７２６と、外部導体７２６を覆う被覆７２８とを有している。同軸ケーブル７２０の内部導体７２２及び外部導体７２６は、第２コンタクト５００の接続部５０４と夫々接続される。
【００３９】
以下、本実施の形態によるコンタクト４００、ダミーコンタクト４９０及び第２コンタクト５００の配置について詳細に説明する。
【００４０】
図５に示されるように、本実施の形態によれば、コンタクト４００は、複数の信号コンタクト４１０と、複数のグランドコンタクト４２０とを含んでいる。コンタクト４００は、Ｙ方向（ピッチ方向）に配置されて第１コンタクト列（コンタクト列）４４０及び第２コンタクト列（コンタクト列）４５０を形成している。第１コンタクト列４４０は、第１保持溝３１４の下を第１保持溝３１４に沿ってＹ方向に延びており、第２コンタクト列４５０は、第２保持溝３１５の上を第２保持溝３１５に沿ってＹ方向に延びている。即ち、第１コンタクト列４４０は、第２コンタクト列４５０の下に位置している。換言すれば、本実施の形態によるコネクタ１０は、２つのコンタクト列４４０及び４５０を備えている。２つのコンタクト列４４０及び４５０は、Ｚ方向において互いに離れている第１コンタクト列４４０と第２コンタクト列４５０とから構成されている。
【００４１】
図５及び図６を参照すると、本実施の形態による第１コンタクト列４４０は、５つの（複数の）信号コンタクト４１０と、５つの（複数の）グランドコンタクト４２０とから構成されている。第１コンタクト列４４０の信号コンタクト４１０及びグランドコンタクト４２０は、交互に配置されている。第１コンタクト列４４０の＋Ｙ側の端には、信号コンタクト４１０が配置されている。換言すれば、本実施の形態による第１コンタクト列４４０は、＋Ｙ側に位置する１つの信号コンタクト４１０と、−Ｙ側に位置する１つのグランドコンタクト４２０とから夫々なる５つの（複数の）コンタクトセット４６０を有している。但し、コンタクトセット４６０の数は１であってもよい。本実施の形態によれば、コンタクト４００は、Ｙ方向において隣り合う２つのコンタクト４００の間のコンタクト距離（Ｄ１）が同じになるように配置されている。
【００４２】
本実施の形態による第２コンタクト列４５０は、第１コンタクト列４４０と同様に、５つの（複数の）信号コンタクト４１０と、５つの（複数の）グランドコンタクト４２０とから構成されている。第２コンタクト列４５０の信号コンタクト４１０及びグランドコンタクト４２０は、第１コンタクト列４４０と同様に、交互に配置されている。即ち、本実施の形態による第２コンタクト列４５０は、＋Ｙ側に位置する１つの信号コンタクト４１０と、−Ｙ側に位置する１つのグランドコンタクト４２０とから夫々なる５つの（複数の）コンタクトセット４６０を有している。但し、コンタクトセット４６０の数は１であってもよい。コンタクト４００は、Ｙ方向において隣り合う２つのコンタクト４００の間のコンタクト距離（Ｄ１）が同じになるように配置されている。
【００４３】
本実施の形態によれば、ダミーコンタクト４９０は、＋Ｙ方向において第２コンタクト列４５０の外側に配置されている。即ち、ダミーコンタクト４９０は、Ｙ方向において第２コンタクト列４５０の信号コンタクト４１０と隣り合っている。
【００４４】
また、本実施の形態によれば、第１コンタクト列４４０の信号コンタクト４１０は、ダミーコンタクト４９０又は第２コンタクト列４５０のグランドコンタクト４２０の下に位置している。第２コンタクト列４５０の信号コンタクト４１０は、第１コンタクト列４４０のグランドコンタクト４２０の上に位置している。
【００４５】
図２及び図３に示されるように、コネクタ１０の使用状態において、同軸ケーブル７１０の内部導体７１２は、第１コンタクト列４４０及び第２コンタクト列４５０の信号コンタクト４１０の接続部４０４と夫々接続されている。このとき、同軸ケーブル７１０の外部導体７１６は、第１コンタクト列４４０及び第２コンタクト列４５０のグランドコンタクト４２０の接続部４０４と夫々接続されている。更に、前述したように、載置部３３０の上面の＋Ｙ方向の端部に位置する同軸ケーブル７１０の外部導体７１６は、ダミーコンタクト４９０の接続部４９４にも接続されている。
【００４６】
図４に示されるように、本実施の形態によれば、第２コンタクト５００は、複数の信号コンタクト５１０と、複数のグランドコンタクト５２０とを含んでいる。第２コンタクト５００は、コンタクト４００と同様に、Ｙ方向に配置されて２つのコンタクト列（即ち、上側コンタクト列及び下側コンタクト列）を形成している。上側コンタクト列及び下側コンタクト列は、保持部３１０の−Ｙ側の部位に位置している。上側コンタクト列は、Ｚ方向において第２コンタクト列４５０と同じ位置にあり、下側コンタクト列は、Ｚ方向において第１コンタクト列４４０と同じ位置にある。
【００４７】
本実施の形態による上側コンタクト列及び下側コンタクト列の夫々は、７つの（複数の）信号コンタクト５１０と、７つの（複数の）グランドコンタクト５２０とから構成されている。信号コンタクト５１０とグランドコンタクト５２０とは、上側コンタクト列に交互に配置されている。下側コンタクト列も、同様に構成されている。
【００４８】
図２及び図３に示されるように、信号コンタクト５１０の接続部５０４は、グランドコンタクト５２０の接続部５０４と異なる形状を有している。コネクタ１０の使用状態において、同軸ケーブル７２０の内部導体７２２は、上側コンタクト列及び下側コンタクト列の信号コンタクト５１０の接続部５０４と夫々接続されている。このとき、同軸ケーブル７２０の外部導体７２６は、上側コンタクト列及び下側コンタクト列のグランドコンタクト４２０の接続部５０４と夫々接続されている。
【００４９】
図８に示されるように、本実施の形態による第１グランドプレート６１０は、一枚の金属板から形成されており、主部６１２と、曲げ形成された曲げ部６１４とを有している。主部６１２は、概ねＸＹ平面と平行に延びている。本実施の形態による曲げ部６１４は、概ねＸＺ平面と平行に延びている。即ち、本実施の形態による曲げ部６１４は、主部６１２と直交するように延びている。但し、曲げ部６１４は、主部６１２と交差する方向に延びるように曲げ形成されていればよい。換言すれば、本実施の形態による曲げ部６１４は直角に曲がっているが、曲げ部６１４は鈍角又は鋭角に曲がっていてもよい。本実施の形態による曲げ部６１４は、主部６１２の＋Ｙ方向における端部に位置している。主部６１２には、２つの接点部６１６が形成されている。接点部６１６の夫々は、主部６１２の一部を切欠いて曲げることにより形成されている。接点部６１６の一方は、主部６１２の上方に位置しており、接点部６１６の他方は、主部６１２の下方に位置している。接点部６１６の夫々は、Ｚ方向に移動可能に弾性支持されている。
【００５０】
本実施の形態による第２グランドプレート６２０は、第１グランドプレート６１０を、Ｚ方向と平行な軸を中心として１８０°回転させた形状を有している。即ち、第２グランドプレート６２０は、第１グランドプレート６１０と同一形状を有している。このため、コネクタ１０を構成する部品の種類を削減することができ、これにより製造コストを低減することができる。第２グランドプレート６２０は、主部６２２と、曲げ部６２４とを有している。本実施の形態による曲げ部６２４は、主部６２２の−Ｙ方向における端部に位置している。主部６２２には、２つの接点部６２６が形成されている。
【００５１】
図５から理解されるように、第１グランドプレート６１０は、Ｘ方向に沿って第１保持溝３１４に挿入され保持されている。第１保持溝３１４に保持された第１グランドプレート６１０の主部６１２は、Ｚ方向において第１コンタクト列４４０から離れており、且つ、Ｙ方向において第１コンタクト列４４０全体に亘って延びている。このとき、曲げ部６１４は、Ｙ方向において第１コンタクト列４４０の端の信号コンタクト４１０から離れており、且つ、第１コンタクト列４４０の端の信号コンタクト４１０と隣り合っている。また、前述したように、本実施の形態によれば、第１コンタクト列４４０の＋Ｙ方向における最も外側に位置するコンタクト４００（外側コンタクト）は、信号コンタクト４１０である。曲げ部６１４は、外側コンタクトの＋Ｙ方向における外側に位置している。更に、Ｙ方向における曲げ部６１４と外側コンタクトとの間の距離（Ｄ１）は、コンタクト距離（Ｄ１）と同じである。
【００５２】
第１保持溝３１４に保持された第１グランドプレート６１０の２つの接点部６１６は、Ｙ方向において、第１保持溝３１４の上の２つの溝３１６と同じ位置に夫々位置している。主部６１２から上方に突出した接点部６１６は、第１グランドプレート６１０を第１保持溝３１４に挿入する際、溝３１６の内側を移動する。一方、主部６１２から下方に突出した接点部６１６は、第１グランドプレート６１０が第１保持溝３１４に保持されると、グランドコンタクト４２０と接触する。即ち、本実施の形態によれば、第１グランドプレート６１０の＋Ｙ側の部位に形成された接点部６１６（図８参照）のみが、グランドコンタクト４２０と接触する。この接触により、曲げ部６１４は、グランドコンタクトとして機能することができる。
【００５３】
第２グランドプレート６２０は、第１グランドプレート６１０と同様に、Ｘ方向に沿って第２保持溝３１５に挿入され保持されている。第２保持溝３１５に保持された第２グランドプレート６２０の主部６２２は、Ｚ方向において第２コンタクト列４５０から離れており、且つ、Ｙ方向において第２コンタクト列４５０全体に亘って延びている。また、第２グランドプレート６２０は、Ｚ方向において第１グランドプレート６１０と離れている。
【００５４】
第２保持溝３１５に保持された第２グランドプレート６２０の２つの接点部６２６は、Ｙ方向において、第２保持溝３１５の下の２つの溝３１６と同じ位置に夫々位置している。このため、主部６２２から下方に突出した接点部６２６は、第２グランドプレート６２０を第２保持溝３１５に挿入する際、溝３１６の内側を移動する。一方、主部６２２から上方に突出した接点部６２６は、第２グランドプレート６２０が第２保持溝３１５に保持されると、グランドコンタクト４２０と接触する。即ち、本実施の形態によれば、第２グランドプレート６２０の＋Ｙ側の部位に形成された接点部６２６（図８参照）のみが、グランドコンタクト４２０と接触する。
【００５５】
図１、図２、図５及び図６から理解されるように、同軸ケーブル７１０及び同軸ケーブル７２０に接続されたコネクタ１０が回路基板（図示せず）に搭載された相手側コネクタ８０と嵌合した使用状態において、コンタクト４００のうちの信号コンタクト４１０は、相手側コンタクト８２０のうちの信号コンタクト８２２と接続され、コンタクト４００のうちのグランドコンタクト４２０は、相手側コンタクト８２０のうちのグランドコンタクト８２４と接続される。即ち、同軸ケーブル７１０の内部導体７１２は、回路基板の信号パターン（図示せず）と電気的に接続され、同軸ケーブル７１０の外部導体７１６は、回路基板のグランドパターン（図示せず）と電気的に接続される。このとき、グランドコンタクト４２０、ダミーコンタクト４９０、第１グランドプレート６１０及び第２グランドプレート６２０は、グランドされる。
【００５６】
また、使用状態において、第２コンタクト５００のうちの信号コンタクト５１０は、相手側コンタクト８３０のうちの信号コンタクト８３２と接続され、第２コンタクト５００のうちのグランドコンタクト５２０は、相手側コンタクト８３０のうちのグランドコンタクト８３４と接続される。即ち、同軸ケーブル７２０の内部導体７２２は、回路基板（図示せず）の信号パターン（図示せず）と電気的に接続され、同軸ケーブル７２０の外部導体７２６は、回路基板のグランドパターン（図示せず）と電気的に接続される。
【００５７】
図５及び図６から理解されるように、使用状態において、第１コンタクト列４４０の信号コンタクト４１０は、グランドされた第１グランドプレート６１０の近傍に配置されている。更に、第１コンタクト列４４０の信号コンタクト４１０は、グランドされた２つのグランドコンタクト４２０の中間に位置しているか、又は、グランドされたグランドコンタクト４２０と曲げ部６１４（即ち、グランドコンタクトとして機能する部位）との中間に位置している。このため、第１コンタクト列４４０の信号コンタクト４１０のインピーダンスを、より確実に整合させることができる。
【００５８】
また、使用状態において、第２コンタクト列４５０の信号コンタクト４１０は、グランドされた第２グランドプレート６２０の近傍に配置されている。更に、第２コンタクト列４５０の信号コンタクト４１０は、グランドされた２つのグランドコンタクト４２０の中間に位置しているか、グランドされたグランドコンタクト４２０とダミーコンタクト４９０（即ち、グランドコンタクトとして機能する部位）との中間に位置している。このため、第２コンタクト列４５０の信号コンタクト４１０のインピーダンスを、より確実に整合させることができる。
【００５９】
特に、本実施の形態によれば、信号コンタクト４１０とグランドコンタクトとして機能する部位との間の距離（Ｄ１）は、同一になるように設定されている。このため、信号コンタクト４１０のインピーダンスを、更に確実に整合させることができる。
【００６０】
図４及び図５から理解されるように、本実施の形態による保持部材３００の＋Ｙ側端部と、第１コンタクト列４４０（図５参照）の＋Ｙ側端部との間の距離は短い。このため、第１コンタクト列４４０の隣にダミーコンタクト４９０と同様なダミーコンタクトを設けることが難しい。本実施の形態によれば、このようにスペースが限られている場合であっても、第１グランドプレート６１０の端部を折り曲げることによって、ダミーコンタクトとして機能する曲げ部６１４を設けることができる。特に、本実施の形態による曲げ部６１４は、主部６１２と直交しているため、Ｙ方向における幅を小さくできるだけでなく、隣り合う信号コンタクト４１０との間の距離を一定値（Ｄ１）に保つことができる（図５参照）。
【００６１】
本実施の形態によれば、第１グランドプレート６１０及び第２グランドプレート６２０は、Ｚ方向において第１コンタクト列４４０と第２コンタクト列４５０との間に配置されている。このため、上下の信号コンタクト４１０間のクロストークを、より確実に防止することができる。
【００６２】
更に、図５に示されるように、本実施の形態によれば、Ｙ方向において、第１グランドプレート６１０とグランドコンタクト４２０との接続位置は、第２グランドプレート６２０とグランドコンタクト４２０との接続位置と異なっている。即ち、第１グランドプレート６１０の接点部６１６（図８参照）周辺の切欠きと、第２グランドプレート６２０の接点部６２６（図８参照）周辺の切欠きとは、上下に重なっていない。このため、上述したクロストーク防止効果の低減を回避することができる。
【００６３】
本実施の形態は、既に説明した変形例に加え、以下に説明するように様々に変形することができる。
【００６４】
例えば、図６から理解されるように、本実施の形態によれば、信号がシングルエンド方式で伝送される。但し、図７から理解されるように、本発明は、信号を差動方式で伝送する際にも適用可能である。具体的には、図７に示されるように、変形例によるコンタクトセット４６０Ａは、信号コンタクト４１０の対（即ち、２つの信号コンタクト４１０）と１つのグランドコンタクト４２０から構成される。信号コンタクト４１０の対は、グランドコンタクトとして機能する２つの部位（グランドコンタクト４２０、ダミーコンタクト４９０、曲げ部６１４及び６２４のうちの２つ）の間に配置されている。このような構成によっても、信号コンタクト４１０のインピーダンスを整合させることができる。
【００６５】
図２及び図８を参照すると、本実施の形態による第１グランドプレート６１０及び第２グランドプレート６２０は、嵌合部１２内に位置している。但し、第１グランドプレート６１０及び第２グランドプレート６２０は、嵌合部１２（保持部３１０）を超えて、載置部３３０まで延びていてもよい。即ち、第１グランドプレート６１０及び第２グランドプレート６２０のうちの少なくとも一方が、部分的に嵌合部１２内に位置していればよい。
【００６６】
最も好ましくは、第１グランドプレート６１０の主部６１２が載置部３３０まで延びていればよい。但し、図９に示されるように、主部６１２ではなく、曲げ部６１４のみが載置部３３０まで延びていてもよい。詳しくは、第１グランドプレート６１０の変形例である第１グランドプレート６１０Ａは、曲げ部６１４から＋Ｘ方向に突出して延びる延長部６１８を有している。延長部６１８は、保持部３１０（図２参照）を超えて、載置部３３０まで延びている。即ち、延長部６１８は、Ｘ方向において信号コンタクト４１０の接続部４０４（図３参照）まで延びている。グランドコンタクトとして機能する曲げ部６１４を、このように延ばすことで、信号コンタクト４１０のインピーダンスを、更に確実に整合させることができる。
【００６７】
図５に示されるように、本実施の形態によれば、第１グランドプレート６１０及び第２グランドプレート６２０の夫々は、１つのグランドコンタクト４２０と接続されている。しかしながら、第１グランドプレート６１０及び第２グランドプレート６２０の夫々は、２以上のグランドコンタクト４２０と接続されていてもよい。例えば、第１グランドプレート６１０は、第１コンタクト列４４０の全てのグランドコンタクト４２０と接続されていてもよい。即ち、第１グランドプレート６１０は、第１コンタクト列４４０の少なくとも１つのグランドコンタクト４２０と接続されていればよい。同様に、第２グランドプレート６２０は、第２コンタクト列４５０の少なくとも１つのグランドコンタクト４２０と接続されていればよい。
【００６８】
図４に示されるように、本実施の形態によれば、コンタクト４００は、保持部材３００の＋Ｙ側の部位に保持されている。しかしながら、コンタクト４００は、保持部材３００の−Ｙ側の部位に保持されていてもよい。この場合、第１グランドプレート６１０の曲げ部６１４は、主部６１２の−Ｙ側の端部に設ければよい。より具体的には、第１グランドプレート６１０を、第２グランドプレート６２０（図８参照）と同様の形状に形成すればよい。
【００６９】
図１０に示されるように、第２グランドプレート６２０（図８参照）の変形例である第２グランドプレート６２０Ｂの曲げ部６２４は、主部６２２の−Ｙ側の端部に位置している。また、第２グランドプレート６２０Ｂは、第１グランドプレート６１０Ａ（図９参照）と同様に、曲げ部６２４から＋Ｘ方向に突出した延長部６２８を有している。
【００７０】
曲げ部６１４は、第１グランドプレート６１０のＹ方向の端部ではなく、Ｙ方向における両端部の間に形成されていてもよい。また、第２グランドプレート６２０は、第１グランドプレート６１０と異なる形状を有していてもよい。例えば、第２グランドプレート６２０は、不要な曲げ部６２４を有していなくてもよい。また、コネクタ１０は、同軸ケーブル７２０に接続されていなくてもよい。更に、同軸ケーブル７２０は、一般的な電線や電源ケーブルであってもよい。この場合、第２コンタクト５００は、信号コンタクトと電源コンタクトとを含んでいればよい。同様に、相手側コンタクト８３０は、信号コンタクトと電源コンタクトとを含んでいればよい。
【符号の説明】
【００７１】
１０              コネクタ
１２              嵌合部
２００            カバー
３００            保持部材
３１０            保持部
３１２，３１３    凹部
３１４            第１保持溝（保持溝）
３１５            第２保持溝（保持溝）
３１６            溝
３２０            仕切り壁
３３０            載置部
４００            コンタクト（第１コンタクト）
４０２            接触部
４０４            接続部
４１０            信号コンタクト
４２０            グランドコンタクト
４４０            第１コンタクト列（コンタクト列）
４５０            第２コンタクト列（コンタクト列）
４６０，４６０Ａ  コンタクトセット
４９０            ダミーコンタクト
４９２            接触部
４９４            接続部
５００            第２コンタクト
５０２            接触部
５０４            接続部
５１０            信号コンタクト
５２０            グランドコンタクト
６１０，６１０Ａ  第１グランドプレート（グランドプレート）
６１２            主部
６１４            曲げ部
６１６            接点部
６１８            延長部
６２０，６２０Ｂ  第２グランドプレート（グランドプレート）
６２２            主部
６２４            曲げ部
６２６            接点部
６２８            延長部
７１０            同軸ケーブル
７１２            内部導体（信号線）
７１４            絶縁体
７１６            外部導体（グランド線）
７１８            被覆
７２０            同軸ケーブル
７２２            内部導体（信号線）
７２４            絶縁体
７２６            外部導体（グランド線）
７２８            被覆
８０              相手側コネクタ
８２              受容部
８１０            相手側ハウジング
８２０            相手側コンタクト
８２２            信号コンタクト
８２４            グランドコンタクト
８３０            相手側コンタクト
８３２            信号コンタクト
８３４            グランドコンタクト
【図１】
2015018714.tif 000003
【図２】
2015018714.tif 000004
【図３】
2015018714.tif 000005
【図４】
2015018714.tif 000006
【図５】
2015018714.tif 000007
【図６】
2015018714.tif 000008
【図７】
2015018714.tif 000009
【図８】
2015018714.tif 000010
【図９】
2015018714.tif 000011
【図１０】
2015018714.tif 000012
【図１１】
2015018714.tif 000013
【図１２】
2015018714.tif 000014